(57)【要約】      （修正有）【課題】着用者の過剰発汗を抑制することにより、着用者の熱疲労を軽減させ熱射病を予防することができる衣服及び衣料品を提供する。【解決手段】表層及び裏層の間に配置される中間層を備える衣服１０であって、吸水性材料で構成された吸水部を中間層に設け、通気性を有する材料で表層を構成する。衣服１０と、液体が充填された容器２０と、を袋３０に収納して衣料品１を構成する。【選択図】図１
0003163781.tif 000002
【実用新案登録請求の範囲】
【請求項１】
表層及び裏層の間に配置される中間層を備える衣服であって、
前記中間層は、吸水性材料で構成された吸水部を有し、
前記表層は、通気性を有する材料で構成されることを特徴とする、
衣服。
【請求項２】
前記衣服は、着用者の上半身の肌に直接接触するものであり、
前記中間層の前記吸水部は、前記衣服の襟部、肩部、脇部、背部の少なくとも何れか一つの部分に配置されてなることを特徴とする、
請求項１に記載の衣服。
【請求項３】
前記裏層は、メッシュ素材で構成されることを特徴とする、
請求項２に記載の衣服。
【請求項４】
請求項１から３の何れか一項に記載の衣服と、液体が充填された容器と、が袋に収納されてなることを特徴とする、
衣料品。
【請求項５】
前記液体は、抗菌剤、除菌剤又は殺菌剤を含むことを特徴とする、
請求項４に記載の衣料品。
【請求項６】
前記液体は、芳香剤を含むことを特徴とする、
請求項４又は５に記載の衣料品。
【請求項７】
表層及び裏層の間に配置される中間層を備える衣服であって、
前記中間層は、吸水性材料で構成された吸水部を有し、前記吸水部に、抗菌剤、除菌剤又は殺菌剤を含む液体が吸収され、
前記表層は、通気性を有する材料で構成されることを特徴とする、
衣服。
【請求項８】
前記中間層の前記吸水部に、芳香剤を含む液体が吸収されてなることを特徴とする、
請求項７に記載の衣服。
【請求項９】
前記衣服は、着用者の上半身の肌に直接接触するものであり、
前記中間層の前記吸水部は、前記衣服の襟部、肩部、脇部、背部の少なくとも何れか一つの部分に配置されてなることを特徴とする、
請求項７又は８に記載の衣服。
【請求項１０】
前記裏層は、メッシュ素材で構成されることを特徴とする、
請求項９に記載の衣服。
【請求項１１】
請求項７から１０の何れか一項に記載の衣服が袋に収納されてなることを特徴とする、
衣料品。
【考案の詳細な説明】
【技術分野】
【０００１】
本考案は、冷却機能を有する衣服及び衣料品に関する。
【背景技術】
【０００２】
現在においては、地球温暖化の進行に伴い、高温多湿な我が国において夏季に猛暑日が続くことが多くなってきており、かかる過酷な環境に起因して、炎天下での作業中や運動中に「熱中症」が多発するという事態が生じている。熱中症とは、猛暑環境下で発生する障害の総称であり、次のような病型がある。
【０００３】
（１）熱失神：皮膚血管の拡張によって血圧が低下し脳血流が減少することに起因して発生するものであり、めまいや失神等がみられる。顔面そう白となり、脈は速くて弱くなる。（２）熱疲労：脱水による症状であり、脱力感、倦怠感、めまい、頭痛、吐き気などがみられる。（３）熱けいれん：大量に汗をかいたときに水だけしか補給しなかったために発生するものであり、血液の塩分濃度が低下して、足、腕、腹部の筋肉に痛みをともなったけいれんがおこる。（４）熱射病：体温の上昇によって中枢機能に異常をきたした状態である。意識障害がおこり、死亡率が高い。
【０００４】
これらの病型の中で運動を行う場合に特に発生し易いのは、熱疲労と熱射病である。このような熱中症を予防するためには、体温を適正に保つことが必要となる。体内温度を適正に保つためには、充分な水分及び塩分（ミネラル）を補給することが不可欠となる。
【０００５】
ところで、人間には、体温を自ら調節する機能としての発汗機能が備わっている。発汗は、身体から熱を奪い体温の上昇を抑制するものである。近年においては、乾燥時と比較して発汗時（吸湿時）に通気性が向上する織編物で構成された衣服を採用することにより、衣服内に滞留する水分を効果的に放出する技術が提案されている（例えば、特許文献１参照）。現段階においては、このような通気性の良い衣服を用いて熱中症を予防するのが一般的である。
【先行技術文献】
【特許文献】
【０００６】
【特許文献１】特開２００６−９７１７６号公報
【考案の概要】
【考案が解決しようとする課題】
【０００７】
しかし、特許文献１に記載されたような従来の技術を採用しても、熱中症を充分に予防することは困難である。すなわち、前記したような通気性を有する衣服を着用しただけでは、体温の調節に自らの汗が使われることとなるため、その汗と同時に大量の塩分、カリウム、マグネシウム、カルシウム、鉄、重炭酸、亜鉛等のミネラルが失われる。このため、発汗作用自体による疲労により体温調節能力や運動能力が低下して熱疲労を誘引し、熱射病を引き起こしてしまう可能性がある。
【０００８】
本考案は、かかる事情に鑑みてなされたものであり、着用者の過剰発汗を抑制することにより、着用者の熱疲労を軽減させ熱射病を予防することができる衣服及び衣料品を提供することを目的とする。
【課題を解決するための手段】
【０００９】
前記目的を達成するため、本考案に係る第一の衣服は、表層及び裏層の間に配置される中間層を備える衣服であって、中間層は、吸水性材料で構成された吸水部を有し、表層は、通気性を有する材料で構成されることを特徴とする。
【００１０】
かかる構成を採用すると、衣服の中間層の吸水部に水分を吸収させることができるので、かかる水分の冷気で着用者の身体を冷却することができる。さらに、中間層の吸水部に吸収させた水分を、通気性を有する材料で構成された表層を介して外部に蒸発させることができるので、水分蒸発に伴う気化作用により着用者の身体を一層冷却することができる。従って、炎天下で作業や運動を行う着用者の過剰発汗を抑制することができるので、着用者の熱疲労を軽減し熱射病の発生を予防することができる。
【００１１】
本考案に係る第一の衣料品は、前記第一の衣服と、液体が充填された容器と、が袋に収納されてなるものである。液体には、抗菌剤、除菌剤、殺菌剤、芳香剤等を含ませることが好ましい。
【００１２】
本考案に係る第二の衣服は、表層及び裏層の間に配置される中間層を備える衣服であって、中間層は、吸水性材料で構成された吸水部を有し、吸水部に、抗菌剤、除菌剤又は殺菌剤を含む液体が吸収され、表層は、通気性を有する材料で構成されるものである。
【００１３】
かかる構成を採用すると、衣服の中間層の吸水部に液体が吸収されているので、かかる液体の冷気で着用者の身体を冷却することができる。さらに、中間層の吸水部に吸収させた液体を、通気性を有する材料で構成された表層を介して外部に蒸発させることができるので、水分蒸発に伴う気化作用により着用者の身体を一層冷却することができる。従って、炎天下で作業や運動を行う着用者の過剰発汗を抑制することができるので、着用者の熱疲労を軽減し熱射病の発生を予防することができる。さらに、衣服の中間層に吸収された液体に含まれる抗菌剤、除菌剤又は殺菌剤により、衣服に雑菌が繁殖することを抑制することができる。この結果、衣服を清潔に保つことが可能となる。
【００１４】
また、前記第二の衣服において、中間層の吸水部に、芳香剤を含む液体を吸収させることもできる。
【００１５】
かかる構成を採用すると、衣服の中間層に吸収された液体に含まれる芳香剤により、着用者の心身をリラックスさせ、着用者の健康の維持・回復に寄与することが可能となる。
【００１６】
本考案に係る第二の衣料品は、前記第二の衣服が袋に収納されてなるものである。
【００１７】
前記第一又は第二の衣服は、着用者の上半身の肌に接触するもの（シャツ等）とすることができる。かかる場合において、中間層の吸水部を、衣服の襟部、肩部、脇部、背部の少なくとも何れか一つの部分に配置することが好ましい。
【００１８】
かかる構成を採用すると、着用者の血管が集中する首や脇に対応する部分（衣服の襟部や腋部）に吸水部が配置されているため、着用者の身体を効果的に冷却することが可能となる。
【００１９】
また、前記衣服において、裏層をメッシュ素材で構成することが好ましい。
【００２０】
かかる構成を採用すると、着用者が衣服を着用したときに、メッシュ素材から構成される裏層を着用者の皮膚に接触させることができ、水分を吸収した中間層が着用者の肌に直接接触することを防ぐことができるため、着用者は良好な着心地を得ることが可能となる。
【考案の効果】
【００２１】
本考案によれば、着用者の過剰発汗を抑制することにより、着用者の熱疲労を軽減させ熱射病を予防することができる衣服及び衣料品を提供することが可能となる。
【図面の簡単な説明】
【００２２】
【図１】本考案の実施形態に係る冷却シャツセット（衣料品）の構成図である。
【図２】本考案の実施形態に係る冷却シャツ（衣服）を構成する各層の説明図である。
【図３】本考案の実施形態に係る冷却シャツの構成を示すものであり、（Ａ）は衣服の側面図、（Ｂ）は（Ａ）のＢ部分の断面図である。
【図４】本考案の実施形態に係る冷却シャツの中間層を示すものであり、（Ａ）は正面図、（Ｂ）は側面図、（Ｃ）は背面図である。
【図５】本考案の他の実施形態に係る冷却シャツセット（衣料品）の構成図である。
【考案を実施するための形態】
【００２３】
以下、図面を参照して、本考案の実施形態について説明する。
【００２４】
最初に、図１を用いて、本実施形態に係る冷却シャツセット１の構成について説明する。冷却シャツセット１は、本考案における第一の衣料品に相当するものであり、冷却機能を有するシャツ（冷却シャツ）１０と、除菌剤及び芳香剤を含む液体（除菌アロマ液）が充填された容器２０と、袋３０と、を備えている。冷却シャツセット１は、図１に示すように、袋３０の内部に冷却シャツ１０及び除菌アロマ液入り容器２０が収納された状態で販売等に供される。
【００２５】
冷却シャツ１０は、本考案における第一の衣服に相当するものであり、その構成については後に詳述する。容器２０は、可撓性を有する材料（例えば、ポリエチレンテレフタレート等の合成樹脂）で構成するのが好ましい。容器２０には、除菌アロマ液に代えて、抗菌剤や殺菌剤を含む液体を充填することもできる。袋３０は、湿気の浸入を防ぐことのできる防湿性を有する材料（例えば、アルミニウムシート、ポリプロピレン製の二軸延伸シート、ポリエステル製の二軸延伸シート等）で構成されている。このため、冷却シャツ１０の中間層１３に設けられる吸収部１３ａ（後述）に余分な湿気が浸入することを防ぐことができる。
【００２６】
次に、図２〜図４を用いて、本実施形態に係る冷却シャツ１０の構成について説明する。冷却シャツ１０は、図２及び図３に示すように、表層１１及び裏層１２の間に配置される中間層１３を備えるものである。
【００２７】
冷却シャツ１０の表層１１は、通気性を有する材料で構成されており、中間層１３の吸収部１３ａに吸収された水分を外部に蒸発させるという機能を果たすものである。本実施形態においては、水分の蒸発を促進させる目的で、速乾性を有する材料で冷却シャツ１０の表層１１を構成している。
【００２８】
冷却シャツ１０の裏層１２は、水分を吸収した中間層１３が着用者の肌に直接接触することを防ぐという機能を果たすものである。本実施形態においては、着心地を向上させる目的で、ポリエステル・ナイロン等の合成繊維や木綿・麻等の天然繊維を織り込んで形成したメッシュ素材で冷却シャツ１０の裏層１２を構成している。
【００２９】
冷却シャツ１０の中間層１３は、吸水性材料で構成された吸水部１３ａを有しており、この吸水部１３ａに水分を吸収させることにより着用者の身体を冷却するという機能を果たすものである。中間層１３は、不織布、織布、紙等の種々の材料で構成することができる。吸水部１３ａは、水分を吸収して保持する吸水性樹脂等で構成することができる。吸水性樹脂としては、吸水性、保水性、吸湿性等の特性を有するポリアクリル酸系重合物や澱粉誘導体等の吸水性ポリマーを採用することができる。
【００３０】
本実施形態においては、冷却シャツ１０を着用する着用者の首、脇、背中を効果的に冷却する目的で、図３に示すように、中間層１３の吸水部１３ａを襟部、脇部、背部上方等に配置している。襟部に配置された吸水部１３ａは、肩部の吸水部１３ａを介して背部上方の吸水部１３ａに連接されており、脇部に配置された吸水部１３ａは、体側部の吸水部１３ａに連接されている。
【００３１】
続いて、本実施形態に係る冷却シャツセット１の使用方法について説明する。
【００３２】
まず、冷却シャツ１０及び容器２０を袋３０から取り出し、容器２０内の除菌アロマ液に冷却シャツ１０を浸し、冷却シャツ１０の中間層１３に設けられた吸水部１３ａに除菌アロマ液を吸収させる。そして、着用者は、このように除菌アロマ液を含む冷却シャツ１０を着用する。これにより、着用者の身体を効果的に冷却するができ、着用者の発汗を抑制することができる。長時間の着用により除菌アロマ液が蒸発して減少した場合には、冷却シャツ１０を再度除菌アロマ液に浸して再使用することができる。冷却シャツ１０の使用後は、冷却シャツ１０及び容器２０を袋３０に収納して一体的に持ち運んだり保存したりすることができる。
【００３３】
以上説明した実施形態に係る冷却シャツ１０においては、中間層１３の吸水部１３ａに水分を吸収させることができるので、かかる水分の冷気で着用者の身体を冷却することができる。さらに、中間層１３の吸水部１３ａに吸収させた水分を、通気性を有する材料で構成された表層１１を介して外部に蒸発させることができるので、水分蒸発に伴う気化作用により着用者の身体を一層冷却することができる。例えば、純粋１ｇの気化熱は約６００ｃａｌであるため、冷却シャツ１０が約３００ｃｃ（約３００ｇ）の除菌アロマ液を蓄えることができるとすると、冷却シャツ１０は約１８０ｋｃａｌの気化熱を放出して体温を有効に下げることができる。従って、炎天下で作業や運動を行う着用者の過剰発汗を抑制することができるので、着用者の熱疲労を軽減し熱射病の発生を予防することができる。
【００３４】
また、以上説明した実施形態に係る冷却シャツ１０においては、中間層１３に吸収された除菌アロマ液に含まれる除菌剤により、シャツ１０に雑菌が繁殖することを抑制することができる。この結果、シャツ１０を清潔に保つことが可能となる。さらに、中間層に吸収された除菌アロマ液に含まれる芳香剤により、着用者の心身をリラックスさせ、着用者の健康の維持・回復に寄与することが可能となる。
【００３５】
また、以上説明した実施形態に係る冷却シャツ１０においては、着用者が着用したときに、メッシュ素材から構成される裏層１２を着用者の皮膚に接触させることができ、水分を吸収した中間層１３が着用者の肌に直接接触することを防ぐことができるため、着用者は良好な着心地を得ることが可能となる。
【００３６】
また、以上説明した実施形態に係る冷却シャツ１０においては、着用者の血管が集中する首や脇に対応する部分（シャツの襟部や腋部等）に吸水部１３ａが配置されているため、着用者の身体を効果的に冷却することが可能となる。
【００３７】
なお、以上説明した実施形態においては、冷却シャツ１０と、除菌アロマ液入りの容器２０と、袋３０と、から冷却シャツセット１を構成した例を示したが、図５に示すように、（中間層１３の）吸水部１３ａに予め除菌アロマ液を吸収させた状態の冷却シャツ１０を袋３０に収納して冷却シャツセット２を構成することもできる。かかる冷却シャツセット２は、本考案における第二の衣料品に相当するものであり、袋３０から取り出した冷却シャツ１０をすぐに着用する（冷却シャツ１０を除菌アロマ液に浸す手間を省く）ことができる、という利点がある。なお、除菌アロマ液を吸収させた状態の冷却シャツ１０は、本考案における第二の衣服に相当する。
【符号の説明】
【００３８】
１・２…冷却シャツセット（衣料品）
１０…冷却シャツ（衣服）
１１…表層
１２…裏層
１３…中間層
１３ａ…吸水部
２０…容器
３０…袋
【図１】
0003163781.tif 000003
【図２】
0003163781.tif 000004
【図３】
0003163781.tif 000005
【図４】
0003163781.tif 000006
【図５】
0003163781.tif 000007